(57)【特許請求の範囲】
【請求項１】
幅方向の中央部分の整形部分及び当該整形部分の両側に連続して延設された一対の取付部分を一体形成している建築用コーナー材において、前記取付部分は、表面側が長手方向に沿って形成された断面が逆三角形状の多数の細溝が幅方向に間隔を空けずに配列されて形成された粗面となっているとともに両側端には幅が０．５ｍｍ〜１ｍｍの平坦な側端部が形成されており、前記側端部の厚さは、隣接する前記細溝の上端における厚さよりも薄く形成されており、前記側端部の端縁から隣接する前記細溝の上端までの間に前記細溝の前記整形部分側の傾斜面と同じ傾斜面及び前記側端部の平坦面により画定されたパテ材を滞留するための溜り部が形成されている建築用コーナー材。
【請求項２】
前記側端部は、多数の前記細溝の上端を結ぶように当接するとともに前記整形部分の表面側から連続する仮想上の外形面を設定した場合、前記側端部の表面側の平坦面と当該外形面との間の間隔は、前記細溝の当該外形面からの深さ以上に設定されている請求項１に記載の建築用コーナー材。
【請求項３】
前記整形部分は、湾曲形成されている請求項１又は２に記載の建築用コーナー材。
【請求項４】
前記整形部分には、表面側に突条が長手方向に沿って形成されている請求項１又は２に記載の建築用コーナー材。
【請求項５】
前記整形部分には、厚さが薄く折り曲げ可能な溝条部が長手方向に沿って形成されている請求項１又は２に記載の建築用コーナー材。
【発明の詳細な説明】
【技術分野】
【０００１】
本発明は、建築物の内壁において出隅又は入隅といった部位の角部に取り付ける建築用コーナー材に関する。
【背景技術】
【０００２】
建築物を施工する場合、内装工事において内壁の出隅及び入隅といった部位には、角部にアングル状又はテープ状の建築用コーナー材を取り付けて施工することが行われている。角部を覆うように建築用コーナー材を取り付けることで、角部を補強することができ、角部に接触した場合の衝撃を吸収して角部が破損しないように保護することが可能となる。また、角部を覆うことで角部の形状を整えて内壁面の美観を向上させることもできる。
【０００３】
また、内壁を構成する下地材が角部で接合した状態となっている場合に、接合部分を建築用コーナー材で覆うことで角部を含む内壁面を平滑化することができる。内壁面に壁紙等を貼り付ける場合には、予めパテ等を内壁面に塗布することで段差のない平滑面に仕上げた後壁紙等を貼り付ければきれいに仕上げることができる。
【０００４】
こうした内壁面の仕上げ効果を高めるために様々な建築用コーナー材が提案されている。例えば、特許文献１では、クロスのシワや破れを防止し、パテ塗り作業を効率的かつ低コストで行うようにするために、一対の平板部の外側面に先端部から屈曲部側に向かって逓次的に平板部の肉厚が増大する傾斜面を形成した建築用コーナー材が記載されている。また、特許文献２では、平板部の上面に、先端部位を除く外縁側の領域に所定幅にわたって凹凸加工が施された粗面部を形成すると共に、外縁の先端部位に、凹凸加工が施されていない曲面部を形成した建築用コーナー材が記載されている。また、特許文献３では、少なくとも装飾用壁紙クロスの添設面側に、パテ材の溜まり空間となる凹溝を長尺部材の幅方向に複数形成したクロスコーナ仕上げ材が記載されている。
【先行技術文献】
【特許文献】
【０００５】
【特許文献１】特開２０１６−１６０６５４号公報
【特許文献２】特開２０１７−２０６８７４号公報
【特許文献３】特開２０１９−１１６５４号公報
【発明の概要】
【発明が解決しようとする課題】
【０００６】
建築用コーナー材は、合成樹脂材料で成形されている場合が多く、角部に対向する整形部分は角部が所望の形状となるように形成されているが、両側の取付部分は石膏ボード等の下地材との間に段差が生じないようにすることで、内壁面の美観を向上することが求められている。
【０００７】
そのため、特許文献１に記載されているように、取付部分では厚さが薄くなるように形成している。しかしながら、厚さを薄くする成形技術には限界があり、強度の面からある程度の厚さが必要となるため、取付部分を薄くしたとしても側端で段差が生じるのは避けられない。
【０００８】
特許文献２では、取付部分に凹凸加工が施されていない曲面部を形成してパテ材の塗布をスムーズに行うようにしているが、曲面部でヘラ等の塗布用具が滑りやすくなり、パテ材が乗りにくくなって塗布ムラが生じやすくなる課題がある。
【０００９】
また、パテ材を塗布した壁面に貼付する壁紙等の装飾用シート材の厚さが薄くなってきており、パテ材の塗布ムラの影響を受けやすくなっている。パテ材の乾燥により、いわゆる「パテ痩せ」といった現象により塗布ムラの部分に段差や凹凸が生じ、薄くなった壁紙にもこうした塗布ムラが出やすくなっている。
【００１０】
そこで、本発明は、パテ材を従来より均一で平滑に塗布することができ塗布作業を効率よく行うことが可能な建築用コーナー材を提供することを目的とするものである。
【課題を解決するための手段】
【００１１】
本発明に係る建築用コーナー材は、幅方向の中央部分の整形部分及び当該整形部分の両側に連続して延設された一対の取付部分を一体形成している建築用コーナー材において、前記取付部分は、表面側が長手方向に沿って形成された断面が逆三角形状の多数の細溝が幅方向に間隔を空けずに配列されて形成された粗面となっているとともに両側端には幅が０．５ｍｍ〜１ｍｍの平坦な側端部が形成されており、前記側端部の厚さは、隣接する前記細溝の上端における厚さよりも薄く形成されており、前記側端部の端縁から隣接する前記細溝の上端までの間に前記細溝の前記整形部分側の傾斜面と同じ傾斜面及び前記側端部の平坦面により画定されたパテ材を滞留するための溜り部が形成されている。さらに、前記側端部は、多数の前記細溝の上端を結ぶように当接するとともに前記整形部分の表面側から連続する仮想上の外形面を設定した場合、前記側端部の表面側の平坦面と当該外形面との間の間隔は、前記細溝の当該外形面からの深さ以上に設定されている。
【発明の効果】
【００１２】
本発明は、上記のような構成を有することで、側端部の端縁から隣接する細溝の上端までの間にパテ材を滞留するための溜り部が形成されているので、パテ材を従来より均一で平滑に塗布することができ塗布作業を効率よく行うことができる。
【図面の簡単な説明】
【００１３】
【図１】本発明に係る建築用コーナー材に関する断面図である。
【図２】図１の円で示す部分拡大断面図である。
【図３】建築用コーナー材の別の実施形態に関する断面図である。
【図４】建築用コーナー材のさらに別の実施形態に関する断面図である。
【発明を実施するための形態】
【００１４】
以下、本発明の実施形態を図面を用いて説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明に係る建築用コーナー材に関する断面図である。建築用コーナー材１は、紙面と直交する方向を長手方向とするアングル状に形成されており、図１は、長手方向と直交する幅方向に沿った断面図を示している。本明細書では、建築用コーナー材１の壁面に当接する側を裏面側とし、裏面側と反対側の外部に露出する面側を表面側とする。
【００１６】
建築用コーナー材１は、幅方向の中央部分には壁面の角部に対向する整形部分１０が形成されており、整形部分１０の両側に連続して延設された一対の取付部分１１を一体形成している。建築用コーナー材１の材料としては、取付の際の操作性及び成形加工の容易性からみて合成樹脂材料が好ましい。具体的には、塩化ビニール樹脂、ＡＢＳ樹脂等の硬質の熱可塑性樹脂材料を用いて成形することができ、折り曲げ等の変形する部分には、塩化ビニール樹脂、エラストマー樹脂等の熱可塑性樹脂材料を用いて複数種類の材料により成形するようにしてもよい。
【００１７】
図１に示す例では、整形部分１０はほぼ直角方向に湾曲した曲面形状に形成されており、壁面の角部の形状に合わせて変形して対応するようになっている。そして、整形部分１０は、所望の厚さに形成されて角部を補強するための強度を有するようになっている。取付部分１１は、整形部分１０の両側に連続して平板状に延設されており、側端部１１ａに行くに従い厚さが薄くなるようにテーパ状に形成されている。一対の取付部分１１の裏面側には、それぞれ壁面に接着するための接着テープ材１２が長手方向に沿って貼着されている。接着テープ材１２に貼付された離型紙を取り除いて角部を挟んで壁面に接着することで、取付部分１１が壁面に接着固定されるとともに整形部分１０が角部を覆うように取り付けられ、建築用コーナー材１を角部に合わせて固定することができる。
【００１８】
整形部分１０は、表面側及び裏面側の両面が平滑な面で湾曲形成されており、壁面の角部に対応する形状となっている。そのため、角部をカバーして平滑な面の外観に整形されるようになっている。取付部分１１は、表面側が長手方向に沿って形成された多数の細溝１１ｂが幅方向に所定のピッチで形成された粗面となっており、両側端には所定幅で平坦な側端部１１ａが形成されている。取付部分１１の裏面側は、平滑な面に形成されており、壁面に密着可能になっている。
【００１９】
図２は、図１の円で示す部分拡大断面図であり、図２（ａ）は、壁面Ｗに取付部分１１が接着固定された状態を示し、図２（ｂ）は、取付部分１１の表面側にパテ材を塗布した状態を示している。
【００２０】
取付部分１１の表面側には、一対の傾斜面が形成されるように切欠いた断面が逆三角形状の細溝１１ｂが幅方向にピッチＰで配列されている。細溝１１ｂの深さＱは、細溝１１ｂの上端を結ぶように当接するとともに整形部分１０の表面側の湾曲面から連続する仮想上の外形面Ｓからの深さである。細溝１１ｂの上端の幅は、この例では、ピッチＰと同一となっており、細溝１１ｂが間隔を空けずに配列されている。
【００２１】
側端部１１ａは、厚さＴ及び幅Ｈの平坦部に形成されている。厚さＴは、隣接する細溝１１ｂの上端１１ｂｔにおける厚さＤよりも薄く形成されており、表面側の平坦面１１ａｓが外形面Ｓよりも低くなるように設定されている。そして、平坦面１１ａｓと外形面Ｓとの間隔Ｋは、細溝１１ｂの深さＱ以上に設定されることが好ましい。側端部１１ａをこうした形状とすることで、側端部１１ａの端縁１１ａｔと隣接する細溝１１ｂの上端１１ｂｔとの間にパテ材が滞留するための溜り部１１ｃが形成されるようになる。この例では、端縁１１ａｔと上端１１ｂｔとを結ぶように当接する動作面Ｍと平坦面１１ａｓとの間の空隙に溜り部１１ｃが形成される。幅Ｈは、後述するように、溜り部１１ｃに適度にパテ材が滞留するように０．５ｍｍ〜１ｍｍに設定するとよい。
【００２２】
図２に示すように、溜り部１１ｃは、細溝１１ｂの整形部分１０側の傾斜面と同じ傾斜面及び側端部１１ａの平坦面１１ａｓにより画定されている。そのため、間隔Ｋは細溝１１ｂの深さＱと同一に設定されている。細溝１１ｂの形状は、塗布動作の際にパテ材の塗布用具の先端が入り込まずにスムーズな塗布動作が行えるように設定されているので、溜り部１１ｃの形状をそれに合わせた形状にすることで、塗布用具をスムーズに移動させて塗布動作を行うことができる。なお、細溝１１ｂの形状は、塗布用具が入り込まずスムーズな塗布動作を行うことが可能であれば、図２に例示した逆三角形状以外の形状でもよく特に限定されない。
【００２３】
細溝１１ｂの上端幅を０．５ｍｍで深さＱを０．２ｍｍ〜０．２５ｍｍとした場合には、側端部１１ａに隣接する細溝１１ｂの上端までの厚さが０．５ｍｍとすると、側端部１１ａの幅Ｈを０．５ｍｍ〜１ｍｍで厚さＴを０．１５ｍｍ〜０．４ｍｍに設定することが好ましい。
【００２４】
建築用コーナー材１を壁面の角部に沿って取り付けた後、パテ材をコテ等の塗布用具により取付部分１１を壁面とともに幅方向に沿って塗布動作を行った場合、塗布用具の先端が側端部１１ａの端縁１１ａｔから動作面Ｍに沿って移動して隣接する細溝１１ｂの上端１１ｂｔから外形面Ｓに沿って移動するようになる。そのため、図２（ｂ）に示すように、側端部１１ａの端縁１１ａｔには動作面Ｍに沿うようにパテ材の滞留部分Ｆ１が生じ、溜り部１１ｃに滞留部分Ｆ２が生じ、各細溝１１ｂ内に滞留部分Ｆ３が生じるようになる。したがって、取付部分１１全体がパテ材で覆われている外観を呈し、側端部１１ａの端縁１１ａｔもパテ材で覆われて段差が隠れた状態となる。
【００２５】
溜り部１１ｃは、側端部１１ａの幅Ｈが０．５ｍｍよりも狭くなると、パテ材を収容するスペースが狭くなってパテ材を滞留できなくなり、上端１１ｂｔまでの段差が露出して目立つようになるか、段差が大きくなるためパテ材が盛り上がるようになる。また、幅Ｈが１ｍｍを超えると、側端部１１ａの平坦面１１ａｓが広くなり、塗布用具の先端が平坦面１１ａｓ上で滑るようになって側端部１１ａが露出して塗布ムラが生じるようになる。また、側端部１１ａの厚さＴを外形面Ｓと平坦面１１ａｓとの間に間隔Ｋが生じるように設定することで溜り部１１ｃのスペースが確保されるようになり、細幅１１ｂの深さＱ以上に間隔Ｋを設定することで、滞留部分Ｆ２のパテ材の量が多くなって均一な塗布を安定して行うことができる。
【００２６】
また、壁面上の滞留部分Ｆ１では、側端部１１ａの厚さＴに対応してパテ材が薄い層を形成するようになるため、いわゆる「パテ痩せ」が生じても滞留部分Ｆ１の厚さの変動幅が小さくなって端縁１１ａｔの段差が目立つようにはならない。
【００２７】
このように、パテ材の塗布動作により端縁に形成される滞留部分Ｆ１と溜り部１１ｃに形成される滞留部分Ｆ２との２段階で側端部１１ａがパテ材により覆われるようにすることができるので、パテ材を従来より均一で平滑に塗布することができ塗布作業を効率よく行うことが可能となる。
【００２８】
図３は、建築用コーナー材の別の実施形態に関する断面図である。この例では、建築用コーナー材１’は、アングル状に形成されて幅方向の中央部分に整形部分１０’がほぼ直角に折れ曲がるように形成されており、整形部分１０’の両側には取付部分１１’が連続して延設されている。そして、取付部分１１’の裏面側には所定幅の接着テープ材１２’が長手方向に沿って貼着されており、図１に示す例と同様に、接着テープ材１２’の離型紙を剥がして壁面に建築用コーナー材１’を接着固定するようになっている。
【００２９】
整形部分１０’には、表面側に所定幅の突条部１０’ａが長手方向に沿って形成されており、突条部１０’ａは、外方に向かって突出するように形成されている。そのため、整形部分１０’を壁面の角部に合わせて取り付けることで、直線状に延びた外観の角部に整形されるようになる。取付部分１１’は、側端部１１’ａに向かって次第に厚さが薄くなるテーパ状に形成されており、表面側には、取付部分１１と同様に、多数の細溝１１’ｂが長手方向に沿って形成されて粗面になっている。側端部１１’ａは、側端部１１ａと同様に、平坦部に形成されているとともに溜め部１１ｃと同様の溜め部が形成された形状となっている。
【００３０】
そのため、図１に示す例と同様に、パテ材の塗布動作により側端部１１’ａの端縁に形成される滞留部分と溜り部に形成される滞留部分との２段階で側端部１１’ａがパテ材により覆われるようにすることができるので、パテ材を従来より均一で平滑に塗布することができ塗布作業を効率よく行うことが可能となる。
【００３１】
図４は、建築用コーナー材のさらに別の実施形態に関する断面図である。この例では、建築用コーナー材２は、テープ状に形成されて幅方向の中央部分に平滑な面の整形部分２０が形成されており、整形部分２０の両側には取付部分２１が連続して延設されている。そして、建築用コーナー材２全体の形状が平板状となっている。
【００３２】
整形部分２０には、建築用コーナー材２の中心線に沿って厚さが薄く折り曲げ可能な溝条部２０ａが形成されており、取付位置の形状に合わせて溝条部２０ａで折り曲げることができる。そして、取付部分２１の裏面側には所定幅の接着テープ材２２が長手方向に沿って貼着されており、図１に示す例と同様に、接着テープ材２２の離型紙を剥がして取付位置に合わせて溝条部２０ａで折り曲げて建築用コーナー材２を接着固定するようになっている。
【００３３】
溝条部２０ａは、例えば軟質樹脂材料からなる層状部分２０ｂを他の部分と一体形成することで、厚さを薄く形成して折り曲げ可能とすることができる。そのため、壁面の角部に合わせて整形部分２０を配置して折り曲げることで角部に取り付けることで、直線状に延びた外観の角部に整形されるようになる。
【００３４】
取付部分２１は、側端部２１ａに向かって次第に厚さが薄くなるテーパ状に形成されており、表面側には、取付部分２１と同様に、多数の細溝２１ｂが長手方向に沿って形成されて粗面になっている。側端部２１ａは、側端部１１ａと同様に、平坦部に形成されているとともに溜め部１１ｃと同様の溜め部が形成された形状となっている。
【００３５】
そのため、図１に示す例と同様に、パテ材の塗布動作により側端部２１ａの端縁に形成される滞留部分と溜り部に形成される滞留部分との２段階で側端部２１ａがパテ材により覆われるようにすることができるので、パテ材を従来より均一で平滑に塗布することができ塗布作業を効率よく行うことが可能となる。
【符号の説明】
【００３６】
１・・・建築用コーナー材、１０・・・整形部分、１１・・・取付部分、１１ａ・・・側端部、１１ｂ・・・細溝、１１ｃ・・・溜め部、１２・・・接着テープ材、Ｓ・・・外形面、Ｍ・・・動作面、１’・・・建築用コーナー材、１０’・・・整形部分、１０’ａ・・・突条部、１１’・・・取付部分、１１’ａ・・・側端部、１１’ｂ・・・細溝、１２’・・・接着テープ材、２・・・建築用コーナー材、２０・・・整形部分、２０ａ・・・溝条部、２０ｂ・・・層状部分、２１・・・取付部分、２１ａ・・・側端部、２１ｂ・・・細溝、２２・・・接着テープ材
【要約】      （修正有）【課題】パテ材を従来より均一で平滑に塗布することができ塗布作業を効率よく行うことが可能な建築用コーナー材を提供する。【解決手段】建築用コーナー材は、整形部分の両側に連続して延設された取付部分１１を一体形成しており、取付部分１１は、表面側が長手方向に沿って形成された多数の細溝１１ｂが幅方向に所定のピッチＰで形成された粗面となっているとともに両側端に所定幅の平坦な側端部１１ａが形成されており、側端部１１ａの厚さＴは、隣接する細溝１１ｂの上端１１ｂｔにおける厚さＤよりも薄く形成されており、側端部１１ａの端縁１１ａｔから隣接する細溝１１ｂの上端１１ｂｔまでの間にパテ材を滞留するための溜り部１１ｃが形成されている。【選択図】図２【図１】
0006931253.tif 000002
【図２】
0006931253.tif 000003
【図３】
0006931253.tif 000004
【図４】
0006931253.tif 000005